(57)【特許請求の範囲】
【請求項１】
前面が開放した筐体であり、内部に電源回路を含む部品を収納する装置本体と、
前記電源回路を介して電源の供給を受ける光源ユニットと、
金属平板を素材として前記光源ユニットが前面側から挿入される有底の凹部を一体的に備え、前記凹部の背面が前記部品から離間した状態で前記前面を被覆するように前記装置本体に着脱自在に取り付けられる反射板と、
前記凹部の底面と前記光源ユニットとの間に配置され、弾性体の放熱シートと、
前記光源ユニットの前面側に配置されるパッキンと、
前記反射板の前面における前記凹部の周縁部に全周にわたって当接する状態で前記反射板に固定される枠体と、を備え、
前記光源ユニットは、複数のＬＥＤを実装したＬＥＤ基板、前記複数のＬＥＤのそれぞれが背面側から収納される複数の孔部を備えた反射カバー、背面が前記反射カバーの前面に圧接する透光性パネルからなり、
前記凹部の深さは、前記放熱シート、前記ＬＥＤ基板、前記反射カバー、前記透光性パネル及び前記パッキンの厚さの総和よりも小さい照明装置。
【発明の詳細な説明】
【技術分野】
【０００１】
この発明は、避難口の所在を表示する誘導灯装置等に用いられる照明装置に関する。
【背景技術】
【０００２】
施設に設置されて避難口の所在を表示する誘導灯装置のように、透光性の表示パネルの背面側に配置した照明装置から表示パネルに光を照射するものがある。照明装置は、光源の光を前面側に反射する反射板を備え、光源の光を直接、及び反射板で反射して前面側に位置する表示パネルに照射する（例えば特許文献１参照。）。
【０００３】
従来の照明装置では、光源を蓄電池や電子回路等を収納した装置本体に固定している。光源として複数のＬＥＤを備えた照明装置では、複数のＬＥＤを実装したＬＥＤ基板が装置本体に固定される。
【先行技術文献】
【特許文献】
【０００４】
【特許文献１】特開２００９−９４０８７号公報
【発明の概要】
【発明が解決しようとする課題】
【０００５】
しかし、従来の照明装置では、光源を装置本体に固定していたため、光源が発生する熱が装置本体に収納された蓄電池や電子回路等の部品に伝導し易く、動作不良や劣化の早期化を招く問題があった。
【０００６】
この発明の目的は、蓄電池や電源回路等の部品を収納した装置本体に対して着脱自在に取り付けられる反射板に光源を配置することにより、光源で発生した熱が装置本体に収納された蓄電池や電子回路等の部品に及ぼす影響を小さくし、動作不良や劣化の早期化を防止できる照明装置を提供することにある。
【課題を解決するための手段】
【０００７】
この発明の照明装置は、装置本体、反射板、光源ユニット、放熱シート、パッキン、枠体を備えている。装置本体は、前面が開放した筐体であり、内部に電源回路を含む部品を収納する。光源ユニットは、電源回路を介して電源の供給を受ける。反射板は、前面を被覆するように装置本体に着脱自在に取り付けられ、光源ユニットを部品から離間した状態で保持する。反射板は、金属平板を素材として光源ユニットが前面側から挿入される有底の凹部を一体的に備えている。放熱シートは、凹部の底面と前記光源ユニットとの間に配置され、弾性体である。パッキンは、光源ユニットの前面側に配置される。枠体は、反射板の前面における凹部の周縁部に全周にわたって当接する状態で反射板に固定される。光源ユニットは、複数のＬＥＤを実装したＬＥＤ基板、複数のＬＥＤのそれぞれが背面側から収納される複数の孔部を備えた反射カバー、背面が反射カバーの前面に圧接する透光性パネルからなる。凹部の深さは、放熱シート、ＬＥＤ基板、反射カバー、透光性パネル及びパッキンの厚さの総和よりも小さい。
【０００８】
この構成によれば、光源ユニットで発生した熱が、放熱シートを介して反射板に伝導した後、反射板の全面から放熱され、装置本体に収納された部品に直接伝導することがない。
【発明の効果】
【００１０】
この発明によれば、光源で発生した熱が装置本体に収納された蓄電池や電子回路等の部品に及ぼす影響を小さくすることができ、動作不良や劣化の早期化を防止できる。
【図面の簡単な説明】
【００１１】
【図１】この発明の実施形態に係る照明装置の外観図である。
【図２】同照明装置を構成する反射板の組立図である。
【図３】（Ａ）〜（Ｃ）は、同反射板の正面図、平面図及び側面断面図である。
【発明を実施するための形態】
【００１２】
以下に、この発明の実施形態に係る照明装置について、図面を参照して説明する。
【００１３】
図１に示すように、この発明の実施形態に係る照明装置１０は、本体１及び反射板２を備え、一例として表示パネル２０の背面に配置される。照明装置１０は、表示パネル２０に向けて光を照射する。例えば、誘導灯装置では、表示パネル２０に避難口の所在が不透明の塗料等で表記されている。表示パネル２０は、照明装置１０の光が背面から照射されることにより、避難口の所在を明暗によって表示する。
【００１４】
本体１は、前面１１が開放した略直方体形状の筐体であり、内部に蓄電池３、回路基板４等の部品を収納している。反射板２は、金属平板のプレス加工により、左右端に傾斜面２２を有する平板状に形成されている。反射板２は、前面１１を閉塞するように本体１にネジ止めされる。本体１には、上面にスリット１２が形成されている。スリット１２に係止部２０１が嵌入されることにより、表示パネル２０が本体１の前面１１に保持される。
【００１５】
図２に示すように、反射板２の中央部には、プレス加工によって凹部２１が形成されている。凹部２１内には、放熱シート５１、ＬＥＤ基板５２、反射カバー５３、透光性パネル５４、パッキン５５がこの順に収納される。凹部２１の周縁部は、枠体５６で被覆される。凹部２１の深さは、放熱シート５１、ＬＥＤ基板５２、反射カバー５３、透光性パネル５４及びパッキン５５の厚さの総和より小さい。
【００１６】
放熱シート５１は、円盤状を呈する熱電導性の高い弾性体であり、少なくとも前面及び背面に粘着性を備え、背面が凹部２１の底面に密着する。ＬＥＤ基板５２は、前面に複数のＬＥＤを実装しており、背面を放熱シート５１の前面に密着させて凹部２１内に位置決めされる。
【００１７】
反射カバー５３は、一例として白色樹脂で構成されており、ＬＥＤ基板５２における各ＬＥＤに対向する孔部５３１が複数形成されている。反射カバー５３は、凹部２１の底面２１０に形成された孔部２１１を反射板２の背面側から貫通するビス２１２を介して凹部２１内に固定される。ＬＥＤ基板５２に実装された複数のＬＥＤは、それぞれ複数の孔部５３１内に収納される。
【００１８】
透光性パネル５４は、前面に環状のパッキン５５が貼着される。枠体５６は、薄板からなる環状体であり、背面からネジ部５６１を突出させている。ネジ部５６１は、反射板２における凹部２１の縁部に形成された孔部２１３を反射板２の前面側から貫通し、反射板２の背面側に露出する。反射板２の背面側に露出したネジ部５６１にナット２１４を螺合させることにより、枠体５６が背面を反射板２の前面における凹部２１の周縁部に当接させた状態で固定される。枠体５６を反射板２に固定すると、パッキン５５が枠体５６の背面及び透光性パネル５４の前面との間に挟持され、透光性パネル５４の背面が反射カバー５３の前面に圧接する。
【００１９】
凹部２１の底面には、貫通孔２１５が形成されている。ＬＥＤ基板５２から延出したリード線に接続されたコネクタ５７が、貫通孔２１５を凹部２１内から反射板２の背面側に貫通し、図１に示した電源回路４に接続される。
【００２０】
上記の構成において、ＬＥＤ基板５２、反射カバー５３及び透光性パネル５４が、この発明の光源ユニット５に相当する。光源ユニット５は、ＬＥＤ基板５２、凹部２１内で、ともに弾性変形する放熱シート５１とパッキン５４とを挟んで、枠体５６の背面と凹部２１の底面２１０との間に挟持され、確実に位置決めされる。
【００２１】
図３（Ａ）〜（Ｃ）に示すように、反射板２の前面の中央部で枠体５６の内側から露出した透光性パネル５４を経由してＬＥＤ基板５２に実装されているＬＥＤの光が前面側に配光される。
【００２２】
反射板２において、ＬＥＤ基板５２の背面側には、放熱シート５１、凹部２１の底面２１０が位置する。本体１の奥行きは、内部に収納した蓄電池３等の部品の奥行きと凹部２１の深さとの和より大きくされている。反射板２を本体１の前面１１に取り付けた際には、底面２１０の背面と本体１内に収納された蓄電池３等の部品との間に、間隙が形成される。
【００２３】
このため、ＬＥＤ基板５２に実装された複数のＬＥＤが発生した熱は、凹部２１の底面から反射板２の全体に伝導した後に反射板２の全面から放熱されるため、本体１内に収納された蓄電池３や回路基板４等の部品には直接伝導することがない。ＬＥＤ基板５２において発生した熱が本体１に収納された蓄電池３や回路基板４等の部品に及ぼす影響を小さくすることができ、動作不良や劣化の早期化を防止できる。
【００２４】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００２５】
１−本体
２−反射板
３−蓄電池
４−回路基板
５−光源ユニット
２１−凹部
５１−放熱シート
５２−ＬＥＤ基板
５３−反射カバー
５４−透光性パネル
５５−パッキン
５６−枠体
２１０−背面
【図１】
0005688524.tif 000002
【図２】
0005688524.tif 000003
【図３】
0005688524.tif 000004